(57)【要約】【課題】放射性同位元素が投与された被検体の周囲における放射線量をリアルタイムで把握する。【解決手段】放射性同位元素が投与された被検体１５０に対してＰＥＴ撮影を行なう際、線量算出部４２の体内線量算出部は、体形モデル保管部４１に予め保管された各種体形モデルの中から被検体１５０の体重に対応した体形モデルを抽出し、この体形モデルの内部に前記放射性同位元素が一様分布した場合の現在時刻における体内放射線量を継続的に算出する。次いで、線量算出部４２の体外線量算出部は、前記体内放射線量の算出結果に基づいて被検体周囲の所定領域における体外放射線量を算出し、分布データ生成部４３は、前記体外線量算出部が複数の領域において算出した体外放射線量に基づいて放射線量分布データを生成する。そして表示部５は、前記所定領域における体外放射線量の値及び前記放射線量分布データを自己のモニタに表示する。【選択図】  図１
2011163966.tif 000002
【特許請求の範囲】
【請求項１】
放射性同位元素を投与した被検体から放射されるγ線を検出し、その検出データに基づいて画像データを生成する医用画像診断装置において、
前記被検体から放射される放射線量を推定する放射線量推定手段と、
この放射線量推定手段による放射線量の推定結果を表示する表示手段とを
備えたことを特徴とする医用画像診断装置。
【請求項２】
前記放射線量推定手段は線量算出手段を備え、前記線量算出手段は、前記被検体の周囲に設定された１つあるいは複数の領域における放射線量を体外放射線量として算出することを特徴とする請求項１記載の医用画像診断装置。
【請求項３】
前記被検体に対応した体形モデルを設定する体形モデル設定手段を備え、前記線量算出手段は、前記体形モデルの内部に分布した前記放射性同位元素の投与薬剤情報に基づいて前記体外放射線量を算出することを特徴とする請求項２記載の医用画像診断装置。
【請求項４】
前記線量算出手段は、前記被検体に投与された前記放射性同位元素の少なくとも投与量、投与時刻及び半減期を前記投与薬剤情報として前記体外放射線量を算出することを特徴とする請求項３記載の医用画像診断装置。
【請求項５】
前記線量算出手段は体内線量算出手段と体外線量算出手段を備え、前記体内線量算出手段は、前記体形モデルの内部に分布した前記放射性同位元素の投与薬剤情報に基づいて前記被検体の体内における体内放射線量を継続的に算出し、前記体外線量算出手段は、前記体内線量算出手段によって算出された前記体内放射線量に基づいて前記被検体の周囲における前記体外放射線量を算出することを特徴とする請求項３記載の医用画像診断装置。
【請求項６】
前記放射線量推定手段は分布データ生成手段を備え、前記分布データ生成手段は、前記線量算出手段が算出した前記複数の領域における体外放射線量に基づいて２次元あるいは３次元の放射線量分布データを生成することを特徴とする請求項２記載の医用画像診断装置。
【請求項７】
前記体形モデル設定手段は、前記被検体の被検体情報に基づいて前記体形モデルを設定することを特徴とする請求項３記載の医用画像診断装置。
【請求項８】
前記体形モデル設定手段は、前記被検体情報に含まれた前記被検体の体重、身長あるいは年齢の少なくとも何れかに基づいて前記体形モデルを設定することを特徴とする請求項７記載の医用画像診断装置。
【請求項９】
前記体形モデル設定手段は、前記被検体情報に基づいて予め保管された各種体形モデルの中から前記被検体に対応した体形モデルを抽出することを特徴とする請求項３記載の医用画像診断装置。
【請求項１０】
前記表示手段は、前記放射線量推定手段による放射線量の推定結果を前記画像データと共に表示することを特徴とする請求項１記載の医用画像診断装置。
【請求項１１】
放射性同位元素を投与した被検体から放射されるγ線を検出し、その検出データに基づいて画像データを生成する医用画像診断装置に対し、
前記被検体の被検体情報に基づいて体形モデルを設定する体形モデル設定機能と、
前記体形モデルの内部に分布した前記放射性同位元素に基づいて前記被検体の周囲における放射線量を推定する放射線量推定機能と、
前記放射線量の推定結果を表示する表示機能を
実行させることを特徴とする放射線量算出用制御プログラム。
【発明の詳細な説明】
【技術分野】
【０００１】
本発明は、放射性同位元素により標識された薬剤が投与されている被検体の周囲における放射線量を推定することが可能な医用画像診断装置及び放射線量算出用制御プログラムに関する。
【背景技術】
【０００２】
Ｘ線診断装置、ＭＲＩ装置、Ｘ線ＣＴ装置及び核医学イメージング装置などを用いた医用画像診断は、コンピュータ技術の発展に伴って急速な進歩を遂げ、今日の医療において必要不可欠なものとなっている。
【０００３】
上述のＸ線診断装置やＸ線ＣＴ装置は、臓器や腫瘍等の輪郭を描出することによって診断を行なう、所謂、形態診断を目的としているのに対し、核医学イメージング装置は、生体組織に選択的に取り込まれた放射性同位元素又はその標識化合物から放射されるγ線を体外から計測し、その線量分布を画像化することにより被検体に対する機能診断を可能としている。
【０００４】
核医学イメージング装置として、ガンマカメラ、シングルフォトンエミッションＣＴ装置（ＳＰＥＣＴ（Single Photon Emission Computed Tomography）装置）、ポジトロンエミッションＣＴ装置（ＰＥＴ（Positron Emission Computed Tomography）装置）等が臨床の場で使用されている。
【０００５】
ガンマカメラは、放射性同位元素によって標識された薬剤（以下、放射性同位元素と呼ぶ。）が投与された被検体の内部から放出されるγ線を、前記被検体に対向させて配置した平面検出器によって測定することにより、この平面検出器に投影された放射性同位元素の分布を２次元画像データ（ガンマ画像データ）として生成する装置であり、平面検出器の前面に装着されたコリメータによってγ線の入射方向を特定している。
【０００６】
ＳＰＥＣＴ装置は、放射性同位元素が投与された被検体の周囲でガンマカメラと同様の平面検出器を移動あるいは複数の平面検出器を配置し、前記被検体に対し複数の方向から検出したγ線情報に対しＸ線ＣＴ装置と同様の再構成処理を行なって画像データ（ＳＰＥＣＴ画像データ）を生成している。
【０００７】
一方、ＰＥＴ装置は、陽電子（ポジトロン）を放出する核種によって標識した放射性同位元素を被検体に投与し、この陽電子が電子と結合して消滅する際に被検体の周囲に配置したリング状の検出器によって検出される一対のγ線情報を再構成処理することにより画像データ（ＰＥＴ画像データ）の生成を行なっている。
【０００８】
又、近年では、Ｘ線ＣＴ装置とＰＥＴ装置とが一体化された、所謂、Ｘ線ＣＴ組み合わせ型ポジトロンＣＴ装置（ＰＥＴ−ＣＴ装置）も開発されている。このＰＥＴ−ＣＴ装置によれば、同一被検体に対する形態診断及び機能診断を効率よく行なうことが可能となり、更に、ＰＥＴ撮影によって収集された投影データを再構成処理してＰＥＴ画像データを生成する際、Ｘ線ＣＴ画像データの画素値に基づいて生成された減弱補正データ（減弱マップ）を用いて前記投影データを補正することにより良質なＰＥＴ画像データを得ることができる（例えば、特許文献１参照。）。
【０００９】
ところで、Ｘ線ＣＴ装置やＸ線診断装置のようなＸ線を放射する医用画像診断装置を用いて被検体に対する検査を行なう医師や検査師等の医療従事者（以下では、操作者と呼ぶ。）、あるいは、上述の核医学イメージング装置を用いた検査において放射性同位元素の投与によりγ線を放射する被検体に対して各種の医療行為を行なう操作者は、放射線を検出する蛍光ガラス線量計、熱ルミネッセンス線量計、フィルムバッジ等の線量計を常時着用することにより検査中に受ける被曝量の管理を行なっている（例えば、特許文献２参照。）。
【先行技術文献】
【特許文献】
【００１０】
【特許文献１】特開２００９−４７６０２号公報
【特許文献２】特開２００７−３２７８６４号公報
【発明の概要】
【発明が解決しようとする課題】
【００１１】
当該被検体に対してＸ線ＣＴ装置やＸ線診断装置を用いた検査を行なう操作者は、遮蔽された検査室の外部に置かれている操作卓等において被検体に対する指示や装置の操作を行なうため、検査中の操作者が法令によって定められた許容値以上の被曝量を受ける可能性は極めて少ない。一方、放射性同位元素が投与された被検体に対し上述の核医学イメージング装置やＰＥＴ−ＣＴ装置等を用いた検査を行なう操作者は、検査室への誘導、天板への載置、検査内容の説明等の医療行為を放射線源である被検体の近傍で行なう必要があるため比較的大きな被曝量を受ける可能性を有している。
【００１２】
このような場合、操作者は、放射線量の少ない領域において上述の医療行為を行なうことにより検査中に受ける被曝量を最小限に抑えなくてはならないが、従来のようなフィルムバッジ等の線量計によって得られる統計的な計数データでは検査室内の所定領域における放射線量をリアルタイムで把握することができないという問題点を有していた。
【００１３】
本発明は、上述の問題点に鑑みてなされたものであり、その目的は、放射性同位元素が投与された被検体の周囲における放射線量をリアルタイムで把握することが可能な医用画像診断装置及び放射線量算出用制御プログラムを提供することにある。
【課題を解決するための手段】
【００１４】
上記課題を解決するために、請求項１に係る本発明の医用画像診断装は、放射性同位元素を投与した被検体から放射されるγ線を検出し、その検出データに基づいて画像データを生成する医用画像診断装置において、前記被検体から放射される放射線量を推定する放射線量推定手段と、この放射線量推定手段による放射線量の推定結果を表示する表示手段とを備えたことを特徴としている。
【００１５】
又、請求項１１に係る本発明の放射線量算出用制御プログラムは、放射性同位元素を投与した被検体から放射されるγ線を検出し、その検出データに基づいて画像データを生成する医用画像診断装置に対し、前記被検体の被検体情報に基づいて体形モデルを設定する体形モデル設定機能と、前記体形モデルの内部に分布した前記放射性同位元素に基づいて前記被検体の周囲における放射線量を推定する放射線量推定機能と、前記放射線量の推定結果を表示する表示機能を実行させることを特徴としている。
【発明の効果】
【００１６】
本発明によれば、放射性同位元素が投与された被検体の周囲における放射線量を容易に把握することができる。このため、操作者は、放射線量の少ない領域において当該被検体に対する医療行為を行なうことが可能となり検査中に受ける被曝量を低減させることができる。
【図面の簡単な説明】
【００１７】
【図１】本発明の実施例における医用画像診断装置の全体構成を示すブロック図。
【図２】同実施例の医用画像診断装置が備えるＸ線ＣＴ撮影部の具体的な構成を示すブロック図。
【図３】同実施例の医用画像診断装置が備えるＰＥＴ撮影部の具体的な構成を示すブロック図。
【図４】同実施例のＰＥＴ撮影部に設けられた検出器モジュールの具体的な構成を示す図。
【図５】同実施例の分布データ生成部が生成する放射線量分布データの具体例を示す図。
【図６】同実施例の移動機構部によって移動するＸ線ＣＴ架台部及びＰＥＴ架台部を説明するための図。
【図７】同実施例における放射線量の推定手順を示すフローチャート。
【図８】同実施例の変形例における医用画像診断装置の全体構成を示すブロック図。
【発明を実施するための形態】
【００１８】
以下、図面を参照して本発明の実施例を説明する。
【実施例】
【００１９】
以下に述べる本実施例の医用画像診断装置では、放射性同位元素が投与された被検体に対してＰＥＴ撮影を行なう際、前記被検体の体重に対応した体形モデルを予め保管された各種体形モデルの中から抽出し、この体形モデルの内部に前記放射性同位元素が一様分布した場合の現在時刻における体内放射線量を継続的に算出する。次いで、体内放射線量の算出結果に基づいた被検体周囲の所定領域における体外放射線量の算出と複数の領域において算出された体外放射線量に基づく放射線量分布データの生成を行ない、得られた体外放射線量の値及び放射線量分布データを表示部に表示する。
【００２０】
尚、以下の実施例では、形態診断を目的としたＸ線ＣＴ画像データと機能診断を目的としたＰＥＴ画像データを生成することが可能な医用画像診断装置について述べるが、機能診断用としてＳＰＥＣＴ画像データやガンマ画像データ等の生成を可能とする医用画像診断装置であってもよく、又、形態診断用としてＭＲＩ画像データやＸ線画像データ等の生成を可能とする医用画像診断装置であってもよい。
【００２１】
（装置の構成）
本発明の実施例における医用画像診断装置の構成につき図１乃至図６を用いて説明する。尚、図１は、本実施例における医用画像診断装置の全体構成を示すブロック図であり、図２及び図３は、この医用画像診断装置が備えるＸ線ＣＴ撮影部及びＰＥＴ撮影部の具体的な構成を示すブロック図である。
【００２２】
図１に示すように本実施例の医用画像診断装置１００は、被検体１５０の周囲で高速回転するＸ線発生部１１のＸ線管から放射され被検体１５０を透過したＸ線を投影データ生成部１２のＸ線検出器により検出して投影データ（第１の投影データ）を生成するＸ線ＣＴ撮影部１と、放射性同位元素（ＲＩ）が投与された被検体１５０から放射される１対のγ線をその周囲に配列された検出器モジュール２１により検出して投影データ（第２の投影データ）を生成するＰＥＴ撮影部２と、Ｘ線ＣＴ撮影部１において生成された第１の投影データ及びＰＥＴ撮影部２において生成された第２の投影データを再構成処理してＸ線ＣＴ画像データ及びＰＥＴ画像データを生成する画像データ生成部３と、放射性同位元素が投与された被検体１５０から放射される放射線量の算出とこの算出結果に基づいた放射線量分布データの生成を行なう放射線量推定部４を備えている。
【００２３】
又、医用画像診断装置１００は、画像データ生成部３によって生成されたＸ線ＣＴ画像データ及びＰＥＴ画像データや放射線量推定部４において得られた検査室内の所定領域における放射線量の値及び放射線量分布データを表示する表示部５と、図示しない寝台に据え付けられ被検体１５０を載置する天板６と、上述のＸ線管やＸ線検出器が搭載された回転架台部を被検体１５０の周囲で高速回転させ、Ｘ線ＣＴ撮影部１を有するＸ線ＣＴ架台及びＰＥＴ撮影部２を有するＰＥＴ架台を被検体１５０の体軸方向（ｚ軸方向）へ移動させる移動機構部７と、被検体情報の入力、Ｘ線ＣＴ撮影及びＰＥＴ撮影における撮影条件、画像データ生成条件及び画像データ表示条件の設定、各種コマンド信号の入力等を行なう入力部８と、医用画像診断装置１００が有する上述の各ユニットを統括的に制御するシステム制御部９を備えている。
【００２４】
次に、医用画像診断装置１００が備える上述の各ユニットの構成と機能につき更に詳しく説明する。
【００２５】
図１に示すＸ線ＣＴ撮影部１は、図２に示すように、Ｘ線発生部１１、投影データ生成部１２、回転架台部１３及び固定架台部１４を備え、Ｘ線発生部１１は、被検体１５０に対してＸ線を照射するＸ線管１１１と、Ｘ線管１１１の陽極と陰極の間に印加する高電圧を発生する高電圧発生器１１２と、Ｘ線管１１１から放射されたＸ線の被検体１５０に対する照射範囲を制御するＸ線絞り器１１３と、回転架台部１３へ電力を供給するスリップリング１１４を備えている。
【００２６】
Ｘ線管１１１は、Ｘ線を発生する真空管であり、高電圧発生器１１２から供給される高電圧によって加速した電子をタングステンターゲットに衝突させてＸ線を放射する。一方、Ｘ線絞り器１１３は、Ｘ線管１１１と被検体１５０の間に設けられ、Ｘ線管１１１から放射されたＸ線を所定の撮影領域に絞り込む機能と被検体１５０に対するＸ線の照射強度分布を設定する機能を有している。例えば、Ｘ線管１１１から放射されたＸ線ビームを撮影領域に対応したコーンビーム状あるいはファンビーム状のＸ線ビームに成形する。
【００２７】
次に、投影データ生成部１２は、被検体１５０を透過したＸ線を検出するＸ線検出器１２１と、Ｘ線検出器１２１から出力された複数チャンネルの検出信号（投影データ）に対して電流／電圧変換とＡ／Ｄ変換を行なうデータ収集ユニット（以下、ＤＡＳ(Data Acquisition System)ユニットと呼ぶ。）１２２と、ＤＡＳユニット１２２の出力信号に対してパラレル／シリアル変換、電気／光／電気変換及びシリアル／パラレル変換を行なうデータ伝送回路１２３を備えている。
【００２８】
投影データ生成部１２のＸ線検出器１２１は、例えば、２次元配列された図示しない複数個のＸ線検出素子を備え、このＸ線検出素子の各々は、Ｘ線を光に変換するシンチレータと光を電気信号に変換するフォトダイオードによって構成されている。そして、これらのＸ線検出素子は、Ｘ線管１１１の焦点を中心とした円弧に沿って回転架台部１３に取り付けられている。
【００２９】
一方、ＤＡＳユニット１２２は、Ｘ線検出器１２１から供給された投影データに対して電流／電圧変換とＡ／Ｄ変換を行なう。そして、データ伝送回路１２３は、図示しないパラレル／シリアル変換器と電気／光／電気変換器とシリアル／パラレル変換器を有し、ＤＡＳユニット１２２から出力された投影データは、回転架台部１３に取り付けられた前記パラレル／シリアル変換器において時系列的な１チャンネルの投影データに変換され、前記電気／光／電気変換器を用いた光通信により固定架台部１４に取り付けられた前記シリアル／パラレル変換器に供給される。
【００３０】
次いで、前記シリアル／パラレル変換器において、１チャンネルの投影データは前記複数チャンネルの投影データに戻されて画像データ生成部３へ供給される。尚、このデータ伝送方法は、回転架台部１３に設けられた投影データ生成部１２と固定架台部１４の外部に設けられた画像データ生成部３の間の信号伝送が可能であれば他の方法に替えることが可能であり、例えば、既に述べたスリップリング等のデバイスを使用しても構わない。
【００３１】
そして、Ｘ線発生部１１のＸ線管１１１及びＸ線絞り器１１３と上述の投影データ生成部１２のＸ線検出器１２１及びＤＡＳユニット１２２は、被検体１５０を挟むように対向して回転架台部１３に装着され、移動機構部７により被検体１５０の体軸方向（ｚ軸方向）に平行な軸を回転中心として高速回転する。
【００３２】
次に、図１のＰＥＴ撮影部２は、図３に示すように、被検体１５０の周囲において同心円状に配列され、放射性同位元素が投与された被検体１５０から放射される１対のγ線を検出する検出器モジュール２１と、検出されたγ線とノイズとの弁別、γ線の検出時刻や検出位置の計測、同時計測された１対のγ線の検出位置に基づくγ線入射方向の算出、更には、所定期間におけるγ線のカウント値をγ線検出位置及びγ線入射方向に対応させて順次保存することによる投影データ（第２の投影データ）の生成等を行なう検出データ処理部２２を有している。
【００３３】
複数個からなる検出器モジュール２１（２１−１乃至２１−Ｎｍ）は、天板６に載置された被検体１５０の周囲において同心円状に配列され、被検体１５０から放射されたγ線はこれらの検出器モジュール２１によって一旦可視光に変換された後電気信号（検出信号）に変換される。
【００３４】
図４は、検出器モジュール２１の具体的な構成を示したものであり、検出器モジュール２１−１乃至２１−Ｎｍの各々は、被検体１５０から放射されるγ線を検出して可視光に変換する短冊状のシンチレータ２１１と、シンチレータ２１１によって変換された可視光を電気信号に変換すると共に変換した微弱な電気信号を増幅する光電子増倍管２１２と、シンチレータ２１１から出力された可視光を光電子増倍管２１２へ伝達するライトガイド２１３を有している。
【００３５】
シンチレータ２１１は、ビスマスジャーマネイド（ＢＧＯ：（Ｂｉ４Ｇｅ３Ｏ１２））、タリウム活性化ヨウ化ナトリウム（ＮａＩ（Ｔｌ））、フッ化バリウム（ＢａＦ２）等の材料が用いられ、特に、ＰＥＴ撮影には、単位体積当たりのγ線光電吸収率が高いビスマスジャーマネイドや応答速度の速いフッ化バリウムが好適である。
【００３６】
光電子増倍管２１２は、例えば、数百個からなる光子を１０７〜１０１０個の電子に増幅し、出力段である陽極にその電子を収集して電気信号に変換するものであり光電陰極と電子増倍器を備えている。光電陰極には、その波長特性がシンチレータ２１１の発光波長に略均しい多アルカリ物質、あるいは酸素やセシウムで活性化したバイアルカリ物質が用いられ、入射光子数に対する発生光電子数は通常２０％乃至３０％である。一方、電子増倍器は、２次電子放出現象に基づき、電子の伝搬経路に沿って配置された多段の電極と増幅された電子を収集する陽極とから構成されている。そして、管電圧が２００Ｖ乃至３００Ｖの場合の１段当たりの増幅率は約５倍であるため、上述の１０７の増幅率を得るためには１０段程度の電極が設けられる。
【００３７】
ライトガイド２１３は、シンチレータ２１１と光電子増倍管２１２を光学的にカップリングするためのものであり、シンチレータ２１１から出力された可視光を効率よく光電子増倍管２１２へ伝達するために光透過性に優れたプラスチック材が用いられる。
【００３８】
図３へ戻って、ＰＥＴ撮影部２の検出データ処理部２２は、上述の検出器モジュール２１−１乃至２１−Ｎｍの各々に接続されているＮｍチャンネルのデータ処理ユニット２２１−１乃至２２１−Ｎｍと、データ処理ユニット２２１−１乃至２２１−Ｎｍから出力されるγ線の検出位置情報に基づいてγ線の入射方向を算出する入射方向算出部２２２と、検出信号のカウント値をγ線検出位置及びγ線入射方向に対応させて順次保存することにより投影データ（第２の投影データ）を生成する投影データ生成部２２３を備えている。尚、ここでは被検体１５０に投与された放射性同位元素Ｓから放射される１対のγ線が検出器モジュール２１−ａ及び２１−ｂによって検出される場合を想定し、これらの検出器モジュール２１−ａ及び２１−ｂに接続されているデータ処理ユニット２２１−a及び２２１−ｂのみを示している。
【００３９】
検出データ処理部２２のデータ処理ユニット２２１−ａ及び２２１−ｂは、検出器モジュール２１−ａ及び２１−ｂの光電子増倍管２１２から供給される複数チャンネルの検出信号を加算合成する信号合成部２３１と、信号合成部２３１において合成された検出信号を用いてγ線の放射に起因する検出信号とノイズとの弁別を各々の波高値に基づいて行なう信号弁別部２３２と、信号合成部２３１から出力された合成後の検出信号を矩形波に整形する波形整形部２３３と、矩形波のフロントエッジに基づいてγ線検出時刻を計測すると共に信号弁別部２３２において弁別された検出信号に対し前記γ線検出時刻の情報を付加する検出時刻計測部２３４を備えている。
【００４０】
更に、データ処理ユニット２２１−ａ及び２２１−ｂは、検出器モジュール２１−ａ及び２１−ｂの光電子増倍管２１２から供給された複数チャンネルの検出信号に基づいてγ線検出位置を計測する検出位置計測部２３５と、検出時刻計測部２３４によるγ線検出時刻の情報が付加された検出信号に対し上述のγ線検出位置の情報を更に付加する検出位置設定部２３６を備えている。尚、データ処理ユニット２２１の具体的な構成とその機能については特開２００７−１０７９９５号公報等において記載されているため詳細な説明は省略する。
【００４１】
次に、検出データ処理部２２の入射方向算出部２２２は、データ処理ユニット２２１−１乃至２２１−Ｎｍの各々に設けられた検出位置設定部２３６から供給される検出信号の付帯情報であるγ線検出時刻の情報に基づき、予め設定された検出期間にて計測された検出信号（例えば、検出器モジュール１２−ａ及び検出器モジュール１２−ｂの各々から供給された放射性同位元素Ｓに基づく検出信号）を抽出する。そして、これらの検出信号に付加されているγ線検出位置の情報に基づいてγ線入射方向を算出する。
【００４２】
一方、投影データ生成部２２３は、図示しない記憶回路を備え、入射方向算出部２２２から供給される検出信号のカウント値を上述のγ線検出位置及びγ線入射方向に対応させて前記記憶回路に保存する。そして、例えば、検出器モジュール２１−ａと検出器モジュール２１−ｂによるγ線の検出が行なわれる度に、検出信号のカウント値が前記記憶回路の対応アドレスにおいて積算される。
【００４３】
一方、他の検出器モジュール１２において１対のγ線が検出された場合、γ線検出位置とγ線入射方向を上述と同様の方法によって計測し、検出信号のカウント値をγ線検出位置及びγ線入射方向に対応させて前記記憶回路に順次保存する。即ち、投影データ生成部２２３の記憶回路では、複数のγ線検出位置及びγ線入射方向に対応した検出信号のカウント値が所定期間積算されて投影データが生成される。
【００４４】
次に、図１に示した医用画像診断装置１００の画像データ生成部３は、投影データ記憶部３１、再構成処理部３２及び減弱補正データ生成部３３を備え、Ｘ線ＣＴ撮影部１及びＰＥＴ撮影部２の各々において生成された投影データに基づいてＸ線ＣＴ画像データ及びＰＥＴ画像データを生成する機能を有している。
【００４５】
画像データ生成部３の投影データ記憶部３１には、Ｘ線ＣＴ撮影部１の投影データ生成部１２において生成された投影データ（第１の投影データ）及びＰＥＴ撮影部２の検出データ処理部２２において生成された投影データ（第２の投影データ）が一旦保存される。
【００４６】
再構成処理部３２は、各種の再構成処理プログラムが予め保管されているプログラム保管部と演算部（何れも図示せず）を備えている。前記演算部は、入力部８からシステム制御部９を介して供給される画像データ生成条件を受信し、この画像データ生成条件の再構成処理条件に好適な処理プログラムを前記プログラム保管部から読み出す。そして、投影データ記憶部３１から読み出した第１の投影データを前記処理プログラムに基づいて再構成処理することによりＸ線ＣＴ画像データを生成する。
【００４７】
更に、再構成処理部３２は、投影データ記憶部３１から読み出した第２の投影データを減弱補正データ生成部３３から供給される減弱補正データを用いて補正し、補正された第２の投影データに対する再構成処理を上述と同様の手順によって行ないＰＥＴ画像データを生成する。
【００４８】
一方、減弱補正データ生成部３３は、図示しない補正データ記憶回路を備え、再構成処理部３２によって生成されたＸ線ＣＴ画像データの画素値（ＣＴ値）に基づいて減弱係数を算出する。次いで、得られた減弱係数を用いて２次元の減弱補正データ（減弱マップ）を生成し、前記補正データ記憶回路に保存する。
【００４９】
次に、放射線量推定部４は、体形モデル保管部４１、線量算出部４２及び分布データ生成部４３を備えている。
【００５０】
体形モデル保管部４１には、被検体の形状が回転楕円体等によって近似された各種の体形モデルが、例えば、被検体の体重をパラメータとして予め保管されている。この場合、体形モデルを示す回転楕円体の極半径及び赤道半径は、被検体の体重に基づいて決定される。
【００５１】
線量算出部４２は、図示しない体内線量算出部と体外線量算出部を有し、前記体内線量算出部は、放射性同位元素が投与された体内局所部位の現在時刻ｔ１における放射線量（体内放射線量）Ｖ１を次式（１）に基づいて算出する。
【数１】
2011163966.tif 000003
【００５２】
但し、式（１）におけるＶ０は被検体１５０に対する放射性同位元素の投与量、ｔ０は放射性同位元素の投与時刻、τｘは投与された放射性同位元素の半減期、Ｋは定数を示している。
【００５３】
一方、前記体外線量算出部は、入力部８からシステム制御部９を介して供給される被検体情報を受信し、この被検体情報に含まれている被検体１５０の体重に対応した体形モデルを体形モデル保管部４１に予め保管された各種体形モデルの中から抽出する。そして、上述の式（１）によって算出された体内放射線量Ｖ１を有する放射性同位元素が前記体形モデルの内部に一様分布していると仮定した場合の被検体周囲（即ち、体形モデルの周囲）の所定算出領域における体外放射線量を算出する。この場合、医用画像診断装置１００の操作者は、体外放射線量の算出領域を任意に設定することが可能であり、例えば、被検体１５０に対して医療行為を行なう際に当該操作者が位置する天板６から３０ｃｍだけ離れた領域の体外放射線量が算出される。
【００５４】
一方、分布データ生成部４３は、図示しないデータ記憶回路を備え、線量算出部４２の体外線量算出部によって算出された複数の算出領域における体外放射線量の算出結果は、算出領域の位置情報を付帯情報として前記データ記憶回路に順次保存される。そして、分布データ生成部４３は、前記データ記憶回路から読み出した複数の算出領域における体外放射線量の算出結果と算出領域の位置情報に基づいて被検体１５０の周囲における２次元の放射線量分布データを生成する。
【００５５】
図５は、上述の分布データ生成部４３によって生成された放射線量分布データの具体例であり、図５（ａ）は、線量算出部４２の体外線量算出部において算出された体外放射線量の値に対応する濃淡あるいは色調を有した放射線量分布データを示している。一方、図５（ｂ）は、前記体外線量算出部において算出された体外放射線量の値と複数の閾値とを比較することによって生成された等高線表示方式の放射線量分布データであり、図５（ａ）及び図５（ｂ）は、何れの場合も、天板６に配置された被検体１５０の体形モデル１５１を中心とし、床面から所定距離（例えば、床面から１ｍ）だけ離れた水平面における２次元の放射線量分布データを示している。
【００５６】
再び図１へ戻って、表示部５は、図示しない表示データ生成部、変換処理部及びモニタを備えている。前記表示データ生成部は、画像データ生成部３の再構成処理部３２において生成されたＸ線ＣＴ画像データやＰＥＴ画像データを所定の表示フォーマットに変換して表示データを生成し、前記変換処理部は、表示データ生成部によって生成された表示データに対しＤ／Ａ変換とＴＶフォーマット変換を行なって前記モニタに表示する。更に、前記表示データ生成部及び前記変換処理部は、放射線量推定部４の線量算出部４２において算出された体外放射線量の値や分布データ生成部４３によって生成された放射線量分布データに対しても同様の処理を行なって前記モニタに表示する。
【００５７】
次に、移動機構部７は、図示しない架台回転部、架台移動部及び機構制御部を備え、前記架台回転部は、前記機構制御部から供給される架台回転制御信号に従ってＸ線管１１１及びＸ線検出器１２１が搭載されたＸ線ＣＴ撮影部１の回転架台部１３を被検体１５０の周囲にて高速回転させる。
【００５８】
前記架台移動部は、前記機構制御部から供給される架台移動制御信号に従い、Ｘ線ＣＴ撮影部１を有するＸ線ＣＴ架台部及びＰＥＴ撮影部２を有するＰＥＴ架台部を床面に設けられたガイドレールに沿って被検体１５０の体軸方向へ移動させる。一方、前記機構制御部は、入力部８からシステム制御部９を介して供給されるＸ線ＣＴ撮影開始指示信号に従って生成した架台回転制御信号を前記架台回転部へ供給し、架台移動指示信号に従って生成した架台移動制御信号を前記架台移動部へ供給する。
【００５９】
図６は、移動機構部７の架台移動部によって移動する上述のＸ線ＣＴ架台部及びＰＥＴ架台部を説明するための図であり、この図６に示すように検査室の床面１６０には被検体１５０を載置する天板６を有した寝台１６１が据え付けられ、天板６の体軸方向（ｚ軸方向）にガイドレール１６２が配設されている。そして、被検体１５０の検査対象部位がＸ線ＣＴ撮影部１の撮影野あるいはＰＥＴ撮影部２の撮影野に配置されるようにＸ線ＣＴ撮影部１を有するＸ線ＣＴ架台部１６３あるいはＰＥＴ撮影部２を有するＰＥＴ架台１６４をガイドレール１６２に沿って体軸方向へ移動させることにより、Ｘ線ＣＴ撮影及びＰＥＴ撮影における被検体１５０の好適な撮影位置が決定される。
【００６０】
次に、図１の入力部８は、キーボード、選択スイッチ、マウス等の入力デバイスや表示パネルを備え、表示部５と組み合わせて用いることによりインタラクティブなインターフェースを形成している。そして、被検体情報の入力、被検体１５０に投与される放射性同位元素の情報（以下では、投与薬剤情報と呼ぶ。）の入力、Ｘ線ＣＴ撮影及びＰＥＴ撮影における撮影条件、画像データ生成条件及び画像データ表示条件の設定、放射線量算出条件の設定、放射線量分布データ生成条件の設定、更には、Ｘ線ＣＴ撮影及びＰＥＴ撮影における撮影位置の設定を目的とした架台移動指示信号や各々の撮影を開始するための撮影開始指示信号の入力等が上述の表示パネルや入力デバイスを用いて行なわれる。尚、放射性同位元素の種類、投与量Ｖ０、半減期τｘ及び投与時刻ｔ１等が上述の投与薬剤情報として入力される。
【００６１】
一方、システム制御部９は、図示しないＣＰＵと記憶回路を備え、入力部８から供給される上述の入力情報や設定情報は前記記憶回路に保存される。そして、前記ＣＰＵは、前記記憶回路から読み出したこれらの情報に基づいて医用画像診断装置１００に備えられた各ユニットを統括的に制御し、Ｘ線ＣＴ撮影及びＰＥＴ撮影を実行させると共に放射性同位元素が投与された被検体１５０から放射される放射線量の推定を実行させる。
【００６２】
（放射線量の推定手順）
次に、本実施例においてＸ線ＣＴ撮影及びＰＥＴ撮影と平行して行われる放射線量推定の手順につき図７のフローチャートに沿って説明する。
【００６３】
被検体１５０に対するＸ線ＣＴ撮影及びＰＥＴ撮影に先立ち、医用画像診断装置１００の操作者は、被検体１５０に対し１１Ｃ、１３Ｎ，１５Ｏ，１８Ｆ等の陽電子（ポジトロン）放出核種で標識された化合物を放射性同位元素（ＲＩ）として投与する（図７のステップＳ１）。次いで、操作者は、入力部８において被検体情報の入力、投与薬剤情報（即ち、放射性同位元素の種類、投与量Ｖ０、投与時刻ｔ０等）の入力、Ｘ線ＣＴ撮影及びＰＥＴ撮影における撮影条件、画像データ生成条件及び画像データ表示条件の設定、体外放射線量の算出領域を含む放射線量算出条件の設定、放射線量分布データの位置情報を含む放射線量分布データ生成条件の設定等を行なう（図７のステップＳ２）。そして、これらの入力情報や設定情報は、システム制御部９の記憶回路に保存される。
【００６４】
次に、操作者は、被検体１５０を寝台１６１に取り付けられた天板６に載置した後、入力部８において架台移動指示信号を入力し被検体１５０の診断対象部位がＸ線ＣＴ撮影部１の撮影野に配置されるようにＸ線ＣＴ架台部１６３をガイドレール１６２に沿って体軸方向へ移動させる（図７のステップＳ３）。そして、Ｘ線ＣＴ架台部１６３の移動が終了したならばＸ線ＣＴ撮影を開始するための撮影開始指示信号を入力部８にて入力する（図７のステップＳ４）。
【００６５】
この撮影開始指示信号を受信したシステム制御部９は、Ｘ線ＣＴ撮影部１に設けられた各ユニットを自己の記憶回路から読み出した撮影条件に基づいて制御し被検体１５０に対するＸ線ＣＴ撮影を行なう。そして、このとき得られた投影データ（第１の投影データ）は、回転架台部１３の回転角度情報を付帯情報として画像データ生成部３の投影データ記憶部３１に保存される。
【００６６】
一方、画像データ生成部３の再構成処理部３２は、システム制御部９から供給される画像データ生成条件を受信し、この画像データ生成条件の再構成処理条件に好適な処理プログラムを自己のプログラム保管部から読み出す。次いで、投影データ記憶部３１から読み出した上述の投影データを前記処理プログラムに基づいて再構成処理することによりＸ線ＣＴ画像データを生成し、得られたＸ線ＣＴ画像データを表示部５のモニタに表示する（図７のステップＳ５）。
【００６７】
一方、画像データ生成部３の減弱補正データ生成部３３は、再構成処理部３２において生成されたＸ線ＣＴ画像データの画素値（ＣＴ値）に基づいて減弱係数を算出する。次いで、得られた減弱係数を用いて２次元の減弱補正データ（減弱マップ）を生成し自己の補正データ記憶回路に保存する（図７のステップＳ６）。
【００６８】
Ｘ線ＣＴ画像データの生成と表示が終了したならば、操作者は、ステップＳ３と同様の手順により被検体１５０の診断対象部位がＰＥＴ撮影部２の撮影野に配置されるようにＰＥＴ架台部１６４をガイドレール１６２に沿って体軸方向へ移動させ（図７のステップＳ７）、ＰＥＴ撮影を開始するための撮影開始指示信号を入力部８において入力する（図７のステップＳ８）。次いで、この撮影開始指示信号を受信したシステム制御部９は、ＰＥＴ撮影部２に設けられた各ユニットを自己の記憶回路から読み出した撮影条件に基づいて制御し被検体１５０に対するＰＥＴ撮影を行なう。そして、このとき得られた投影データ（第２の投影データ）は画像データ生成部３の投影データ記憶部３１に保存される。
【００６９】
画像データ生成部３の再構成処理部３２は、投影データ記憶部３１から読み出した上述の投影データを減弱補正データ生成部３３から供給される減弱補正データに基づいて補正する。次いで、補正後の投影データを再構成処理してＰＥＴ画像データを生成し表示部５のモニタに表示する（図７のステップＳ９）。
【００７０】
一方、上述のステップＳ２において被検体情報の入力や投与薬剤情報の入力等が終了したならば、放射線量推定部４の線量算出部４２に備えられた体内線量算出部は、システム制御部９から供給された現在時刻ｔ１の情報と投与薬剤情報に含まれている放射性同位元素の投与量Ｖ０、半減期τｘ、投与時刻ｔ０の情報を受信し、これらの情報を上述の式（１）へ代入することにより放射性同位元素が投与された所定算出領域の現在時刻ｔ１における体内放射線量Ｖ１を算出する（図７のステップＳ１０）。
【００７１】
次いで、線量算出部４２の体外線量算出部は、システム制御部９から供給された被検体情報を受信し、この被検体情報に含まれている被検体１５０の体重に対応した体形モデルを体形モデル保管部４１に予め保管されている各種体形モデルの中から抽出する。そして、上述の体内放射線量Ｖ１を呈する放射性同位元素が前記体形モデルの内部に一様分布していると仮定した場合の被検体周囲の所定算出領域における体外放射線量を算出し、複数の算出領域において順次得られた体外放射線量の算出結果と前記算出領域の位置情報を分布データ生成部４３のデータ記憶回路に保存する（図７のステップＳ１１）。
【００７２】
一方、分布データ生成部４３は、自己のデータ記憶回路から読み出した複数の算出領域における体外放射線量の算出結果と前記算出領域の位置情報に基づいて被検体１５０の周囲における２次元の放射線量分布データを生成する（図７のステップＳ１２）。
【００７３】
そして、表示部５は、放射線量推定部４の線量算出部４２において算出された所定算出領域における体外放射線量の値や分布データ生成部４３によって生成された放射線量分布データに対し所定の変換処理を行なって自己のモニタに表示する（図７のステップＳ１３）。
【００７４】
（変形例）
次に、本実施例の変形例につき図８を用いて説明する。
【００７５】
上述の実施例では、形態診断を目的としたＸ線ＣＴ画像データと機能診断を目的としたＰＥＴ画像データを生成することが可能な医用画像診断装置について述べたが、本変形例では、上述のＰＥＴ画像データのみを生成する医用画像診断装置について述べる。
【００７６】
尚、本変形例における医用画像診断装置の全体構成を示す図８のブロック図において、図１に示した医用画像診断装置１００のユニットと同一の構成及び機能を有するユニットは同一の符号を付加し詳細な説明は省略する。
【００７７】
即ち、本変形例における医用画像診断装置２００は、放射性同位元素（ＲＩ）が投与された被検体１５０から放射される１対のγ線をその周囲に配列された検出器モジュール２１により検出して投影データを生成するＰＥＴ撮影部２と、ＰＥＴ撮影部２において生成された投影データを再構成処理してＰＥＴ画像データを生成する画像データ生成部３ａと、放射性同位元素が投与された被検体１５０から放出される放射線量の算出とこの算出結果に基づいた放射線量分布データの生成を行なう放射線量推定部４を備えている。
【００７８】
又、医用画像診断装置２００は、画像データ生成部３ａによって生成されたＰＥＴ画像データの表示や放射線量推定部４において得られた検査室内の所定領域における放射線量の値及び放射線量分布データを表示する表示部５ａと、図示しない寝台に据え付けられ被検体１５０を載置する天板６と、ＰＥＴ撮影部２を有するＰＥＴ架台部あるいは被検体１５０が載置された天板６を体軸方向（ｚ軸方向）へ移動させる移動機構部７ａと、被検体情報の入力、ＰＥＴ撮影における撮影条件、画像データ生成条件及び画像データ表示条件の設定、更には、各種コマンド信号の入力等を行なう入力部８ａと、医用画像診断装置２００が有する上述の各ユニットを統括的に制御するシステム制御部９ａを備えている。
【００７９】
医用画像診断装置２００の画像データ生成部３ａは、投影データ記憶部３１ａ、再構成処理部３２ａ及び減弱補正データ生成部３３ａを備え、ＰＥＴ撮影部２において生成された投影データに基づいてＰＥＴ画像データを生成する機能を有している。
【００８０】
画像データ生成部３ａの投影データ記憶部３１ａには、ＰＥＴ撮影部２の検出データ処理部２２において生成された投影データが一旦保存される。
【００８１】
再構成処理部３２は、各種の再構成処理プログラムが予め保管されているプログラム保管部と演算部（何れも図示せず）を備えている。前記演算部は、入力部８ａからシステム制御部９ａを介して供給される画像データ生成条件を受信し、この画像データ生成条件の再構成処理条件に好適な処理プログラムを前記プログラム保管部から読み出す。そして、投影データ記憶部３１ａから読み出した前記投影データを減弱補正データ生成部３２ａから供給される減弱補正データを用いて補正し、補正された投影データに対し再構成処理を行なってＰＥＴ画像データを生成する。
【００８２】
一方、減弱補正データ生成部３３ａは、図示しない補正データ記憶回路を備え、検査に先立って実施される外部線源による減弱補正データの収集において、ＰＥＴ撮影部２の検出データ処理部２２から供給される検出信号に基づいて２次元の減弱補正データ（減弱マップ）を生成し、前記補正データ記憶回路に一旦保存する。
【００８３】
次に、表示部５ａは、図示しない表示データ生成部、変換処理部及びモニタを備えている。前記表示データ生成部は、画像データ生成部３ａの再構成処理部３２aにおいて生成されたＰＥＴ画像データを所定の表示フォーマットに変換して表示データを生成し、前記変換処理部は、前記表示データ生成部によって生成された表示データに対しＤ／Ａ変換とＴＶフォーマット変換を行なって前記モニタに表示する。更に、前記表示データ生成部及び前記変換処理部は、放射線量推定部４の線量算出部４２において算出された所定算出領域における体外放射線量の値や分布データ生成部４３によって生成された放射線量分布データに対しても同様の処理を行なって前記モニタに表示する。
【００８４】
次に、移動機構部７ａは、図示しない移動機構と機構制御部を備え、前記移動機構は、前記機構制御部から供給される移動制御信号に従い、ＰＥＴ撮影部２を有するＰＥＴ架台部あるいは被検体１５０を載置した天板６を体軸方向（ｚ軸方向）へ移動させる。一方、前記機構制御部は、入力部８ａからシステム制御部９ａを介して供給される架台移動指示信号あるいは天板移動指示信号に従って生成した上述の移動制御信号を前記移動機構へ供給する。
【００８５】
次に、入力部８ａは、キーボード、選択スイッチ、マウス等の入力デバイスや表示パネルを備え、表示部５ａと組み合わせて用いることによりインタラクティブなインターフェースを形成している。そして、被検体情報の入力、投与薬剤情報の入力、ＰＥＴ撮影における撮影条件、画像データ生成条件及び画像データ表示条件の設定、放射線量算出条件の設定、放射線量分布データ生成条件の設定、更には、ＰＥＴ撮影における撮影位置の設定を目的とした移動指示信号やＰＥＴ撮影を開始するための撮影開始指示信号の入力等が上述の表示パネルや入力デバイスを用いて行なわれる。
【００８６】
一方、システム制御部９ａは、図示しないＣＰＵと記憶回路を備え、入力部８ａから供給される上述の入力情報や設定情報は前記記憶回路に保存される。そして、前記ＣＰＵは、前記記憶回路から読み出したこれらの情報に基づいて医用画像診断装置２００に備えられた各ユニットを統括的に制御し、ＰＥＴ撮影を実行させると共にＰＥＴ撮影において被検体１５０から放射される放射線量の推定を実行させる。
【００８７】
尚、本変形例における放射線量の推定手順は、図７に示したステップＳ１乃至Ｓ２及びステップＳ１０乃至Ｓ１３の手順と同様であるため説明は省略する。
【００８８】
以上述べた本発明の実施例及びその変形例によれば、放射性同位元素が投与された被検体の周囲における放射線量をリアルタイムで把握することができる。このため、操作者は、放射線量の少ない領域において当該被検体に対する医療行為を行なうことが可能となり検査中に受ける被曝量を低減させることができる。
【００８９】
特に、検査室の所定領域における放射線量のみならず広範囲な領域における放射線量を分布データとして得ることができるため、操作者は、放射線量の少ない領域を容易に知ることが可能となる。又、前記所定領域における放射線量の値や放射線量分布データは医用画像診断装置が備える表示部において表示されるため、操作者は、検査室内において時々刻々変化する放射線量の情報をリアルタイムで把握しながら当該被検体に対する医療行為を行なうことができる。
【００９０】
更に、放射線量の算出に用いる被検体の体重情報や投与薬剤情報は、通常のＰＥＴ撮影において入力されるものであるため、操作者の負担を増大させることなく被検体周囲の放射線量を推定することができる。
【００９１】
以上、本発明の実施例及びその変形例について述べてきたが、本発明は上述の実施例及びその変形例に限定されるものではなく、更に変形して実施することが可能である。例えば、上述の実施例では、形態診断を目的としたＸ線ＣＴ画像データを生成する機能と機能診断を目的としたＰＥＴ画像データを生成する機能を有した医用画像診断装置１００について述べたが、必要な情報を入力しさえすれば、機能診断用としてＳＰＥＣＴ画像データやガンマ画像データ等の他の核医学画像データの生成を可能とする医用画像診断装置であってもよく、又、形態診断用としてＭＲＩ画像データやＸ線画像データ等の生成を可能とする医用画像診断装置であってもよい。
【００９２】
又、上述の変形例では、ＰＥＴ画像データを生成する機能を有した医用画像診断装置２００について述べたが、必要な情報を入力しさえすればＳＰＥＣＴ画像データやガンマ画像データ等の他の核医学画像データの生成を可能とする医用画像診断装置であっても構わない。
【００９３】
一方、上述の実施例及びその変形例における放射線量推定部４の分布データ生成部４３は、天板６に配置された被検体１５０の体形モデル１５１を中心とし、床面から所定距離だけ離れた水平面における２次元の放射線量分布データを生成する場合について述べたが、これに限定されるものではなく、例えば、他の断面における２次元の放射線量分布データであってもよく、３次元の放射線量分布データであってもよい。
【００９４】
又、線量算出部４２において算出された所定の算出領域における体外放射線量の値や分布データ生成部４３において生成された放射線量分布データを表示部５（５ａ）のモニタに表示する場合について述べたが、入力部８（８ａ）に設けられた表示パネルや別途設けられた専用の表示部において表示してもよい。この場合、体外放射線量の値あるいは放射線分布データの何れか一方のみを表示してもよく、又、これらのデータをＸ線ＣＴ画像データやＰＥＴ画像データと共に表示してもよい。
【００９５】
更に、放射線量の算出に用いる体形モデルは、被検体情報に含まれる被検体１５０の体重情報に基づいて設定する場合について述べたが、年齢や身長等の他の被検体情報に基づいて設定しても構わない。又、当該被検体に対応する体形モデルの設定は、線量算出部４２が体形モデル保管部４１に予め保管された各種体形モデルの中から選択することによって行なう場合について述べたが、体重等の被検体情報に基づいた体形モデルの選択あるいは生成を行なう体形モデル設定部を線量算出部４２と独立させて設けてもよい。
【００９６】
又、上述の実施例では、Ｘ線ＣＴ撮影及びＰＥＴ撮影に際し、図６に示したようにＸ線ＣＴ架台部１６３及びＰＥＴ架台部１６４をガイドレール１６２に沿って体軸方向へ移動させる場合について述べたが、被検体１５０が載置された天板６を体軸方向へ移動させてもよい。
【符号の説明】
【００９７】
１…Ｘ線ＣＴ撮影部
１１…Ｘ線発生部
１２…投影データ生成部
２…ＰＥＴ撮影部
２１…検出器モジュール
２２…検出データ処理部
３、３ａ…画像データ生成部
３１、３１ａ…投影データ記憶部
３２、３２ａ…再構成処理部
３３、３３ａ…減弱補正データ生成部
４…放射線量推定部
４１…体形モデル保管部
４２…線量算出部
４３…分布データ生成部
５、５ａ…表示部
６…天板
７、７ａ…移動機構部
８、８ａ…入力部
９、９ａ…システム制御部
１００、２００…医用画像診断装置
【図１】
2011163966.tif 000004
【図２】
2011163966.tif 000005
【図３】
2011163966.tif 000006
【図４】
2011163966.tif 000007
【図５】
2011163966.tif 000008
【図６】
2011163966.tif 000009
【図７】
2011163966.tif 000010
【図８】
2011163966.tif 000011